(57)【要約】【課題】ツアー旅行などのイベントと密接に結びついた付加価値の高いプリントサービスを提供する。【解決手段】ネットプリントサービスサイトと提携している旅行会社によりツアー参加者にプリントクーポン１０が発行される。プリントクーポン１０を受け取ったツアー参加者は、ネットプリントサービスサイトへアクセスしプリントクーポン１０に記載のクーポン番号を入力する。これにより写真プリントサービスについて優遇（たとえば所定枚数のプリント料金が無料になる等）を受けることができる。ネットプリントサービスサイトにアクセスしたツアー参加者には、入力したクーポン番号に関連づけられたメンバー（たとえば同じツアーに参加した人同士）で画像を共有できるページが提供される。ツアー参加者は、この共有ページにアップロードされている画像を閲覧でき、また、自身の撮影画像をこの共有ページにアップロードでき、さらに、この共有ページにアップロードされている画像の写真プリント注文ができる。【選択図】図１
2008191933.tif 000002
【特許請求の範囲】
【請求項１】
画像データの写真プリントサービスを提供するためのシステムであって、
あるイベントの参加者に発行するプリントクーポンを紐付けておき、
前記紐付けされたプリントクーポンを利用した参加者によりアップデートされる画像データを前記参加者間で共有でき、かつ、相互に写真プリント注文可能に構成されている、
ことを特徴とするプリントシステム。
【請求項２】
請求項１において、
前記紐付けの方法は画像共有ページでの共有化である、
ことを特徴とするプリントシステム。
【発明の詳細な説明】
【技術分野】
【０００１】
本発明は、デジタルカメラ等で撮影された画像データの写真プリントサービスを提供するためのシステムに関する。
【背景技術】
【０００２】
ツアー旅行に行くと旅行者は必ずといっていいほど写真を撮影し、その枚数も非常に多くなる。最近では旅行者の多くがデジタルカメラやカメラ付き携帯電話を使用して写真を撮影しており、また、撮影画像を写真プリントする際にネットプリントサービスを利用する人も増えている。ネットプリントサービスはインターネット上で簡単にプリント注文ができるサービスであり、最近では多数のサービスサイトが存在している。
【特許文献１】特開2004-259006号公報
【発明の開示】
【発明が解決しようとする課題】
【０００３】
一般にツアー旅行は複数の人がグループで参加するパターンが大半を占めている。参加者は旅行中に個人個人で撮影した写真をグループのメンバーで共有したいと望む傾向にあり、ｅメール等によりメンバー間で画像データのやりとりをしたり、ネットプリントサービスサイトが提供するネットアルバムサービスを利用することでメンバー間で写真を共有している。
【０００４】
ネットアルバムサービスでは、ある人（例えばＡさん）がアップロードした画像をアルバム感覚で閲覧でき、その中から所望の画像を写真プリント注文できるようになっている。さらに、Ａさん以外の人（例えばＢさん、Ｃさん）にもそのアルバムを見せることができる。しかしながらその場合にはアルバムのＵＲＬをｅメール等でＢさん、Ｃさんに知らせる必要がある。また、Ｂさん、Ｃさんが閲覧できるのは、Ａさんがアップロードした画像だけであり、写真プリント注文できるのもＡさんがアップロードした画像に限られている。
【課題を解決するための手段】
【０００５】
本発明によるプリントシステムは、画像データの写真プリントサービスを提供するためのシステムであって、あるイベントの参加者に発行するプリントクーポンを紐付けておき、前記紐付けされたプリントクーポンを利用した参加者によりアップデートされる画像データを前記参加者間で共有でき、かつ、相互に写真プリント注文可能に構成されている、ことを特徴とする。また、前記紐付けの方法は画像共有ページでの共有化であることが好ましい。
【発明の効果】
【０００６】
本発明によるプリントシステムでは、イベント参加者に発行するプリントクーポンが紐付けられているため、たとえば、イベント参加者に写真共有ページを提供し、かつ、個々の参加者に発行されるプリントクーポンからワンクッションでその共有ページに導かれるようにすることができる。このようにすれば、わざわざ旅行後に画像を交換し合ったり、別の画像共有サイトを探しそれらを当人間で連絡したりする必要がない。また、プリントクーポンにより紐付けされた参加者全員が画像をアップロードでき、その中から所望の画像を写真プリント注文できるようになっている。このように、写真の共有および参加者同士の画像からのプリント注文の利便性が良く、操作しやすい形にすることができる。
【発明を実施するための最良の形態】
【０００７】
［プリントシステム］
本発明の実施形態によるプリントシステムの全体構成を図１に示す。このシステムにより提供されるサービスの概要は次の通りである。ネットプリントサービスサイトと提携している旅行会社によりツアー参加者にプリントクーポン１０が発行される。プリントクーポン１０を受け取ったツアー参加者は、ネットプリントサービスサイトへアクセスしプリントクーポン１０に記載のクーポン番号を入力する。これにより写真プリントサービスについて優遇（たとえば所定枚数のプリント料金が無料になる等）を受けることができる。ネットプリントサービスサイトにアクセスしたツアー参加者には、入力したクーポン番号に関連づけられたメンバー（たとえば同じツアーに参加した人同士）で画像を共有できるページが提供される。ツアー参加者は、この共有ページにアップロードされている画像を閲覧でき、また、自身の撮影画像をこの共有ページにアップロードでき、さらに、この共有ページにアップロードされている画像の写真プリント注文ができる。ネットプリントサービスサイト上で注文した写真のプリントは提携のプリント専門店において行われ、できあがった写真プリントは最寄りのプリント専門店やコンビニで受け取ったり、宅配便やメール便により自宅で受け取ることができる。
【０００８】
［プリントクーポン１０］
旅行会社がツアー参加者に発行するプリントクーポン１０にはクーポン番号が記載されている。このクーポン番号には、図２に示すように、ツアー識別用コード、出発日識別用コード、個人識別用コード、グループ識別用コードが含まれている。ツアー識別用コードは、そのツアー参加者が申し込んだツアーのツアーコードに対応づけられている。出発日識別用コードは、そのツアー参加者が申し込んだツアーの出発日に対応づけられている。個人識別用コードは、そのツアー参加者の氏名、住所等の個人情報に対応づけられている。グループ識別用コードは、そのツアー参加者が属するグループに関する情報（グループＩＤ、代表者の情報、メンバーの情報など）に対応づけられている。なお、ツアーの申し込みは、参加を希望する複数の人のうちある１人を代表者としてまとめて行う場合がほとんどであり、ここではこれらの複数の人を１グループとしている。
【０００９】
旅行会社のサーバ１１０は、図２（ａ）に示すように、発行したプリントクーポン１０のクーポン番号と上記各種情報とを対応づけた対応表１２０を作成し記憶する。なお、図２（ｂ）に示すように、クーポン番号の各識別用コードごとに対応表１２０ａ〜１２０ｄを作成し記憶するようにしてもよい。
【００１０】
さらに旅行会社のサーバ１１０は、対応表１２０をインターネットを介してネットプリントサービスサイトのサーバ２１０に送信する。ネットプリントサービスサイトのサーバ２１０は、受信した対応表１２０を記憶する。
【００１１】
［画像データベース２２０］
上述のように本システムでは、ネットプリントサービスサイトにアクセスしたツアー参加者は、撮影した画像データをアップロードすることができる。アップロードされた画像データはネットプリントサービスサイトの画像ＤＢ（データベース）２２０に格納される。図３に示すように、画像ＤＢ２２０内では、ツアーコード（ＴＣ１００，ＴＣ２００，…）ごとにフォルダが作成されており、アップロードされた画像データは対応するフォルダに格納される。そして各画像データには識別情報（画像ＩＤ）と属性情報（ツアーコード、出発日、グループＩＤ、個人ＩＤ）とが対応づけられ、さらに各属性情報に対して共有フラグが設けられる。共有フラグは、対応する属性情報の範囲で画像の共有を認めるか否かを示すものであり、共有を認める場合は「１」に設定され、共有を認めない場合は「０」に設定される。
【００１２】
［共有ページ情報データベース２３０］
上述のように本システムでは、ネットプリントサービスサイトにアクセスしたツアー参加者に対して、クーポン番号に関連づけられたメンバー間で画像を共有できるページが提供される。ネットプリントサービスサイトのサーバ２１０は、この共有ページの情報を次のように作成する。
【００１３】
サーバ２１０は、共有ページ情報ＤＢ２３０内にツアーコード（ＴＣ１００，ＴＣ２００，…）ごとにフォルダを作成し、各フォルダ内に共有ページ情報を格納する。ここではツアーコードＴＣ１００に関する共有ページ情報を作成する場合を例にして説明する。
【００１４】
図４に示すように、サーバ２１０は、画像ＤＢ２２０内のツアーコードＴＣ１００のフォルダに格納されている画像データの中から属性情報（ツアーコード：ＴＣ１００）の共有フラグが「１」に設定されている画像データの画像ＩＤ（１００１，１００５，１１００，１１０１，１１０３，…）を抽出する。そして、抽出した画像ＩＤ（１００１，１００５，１１００，１１０１，１１０３，…）とツアーコードＴＣ１００とを対応づけたツアーコードＴＣ１００の共有ページ情報を作成し、共有ページ情報ＤＢ２３０内のツアーコードＴＣ１００のフォルダ内に格納する。ツアーコードＴＣ１００の共有ページ情報は、ツアーコードＴＣ１００のツアー参加者全員での共有を認める画像ＩＤの一覧を示すものである。
【００１５】
また、サーバ２１０は、図５に示すように、画像ＤＢ２２０内のツアーコードＴＣ１００のフォルダに格納されている画像データの中から属性情報（グループＩＤ：Ｐ１）の共有フラグが「１」に設定されている画像データの画像ＩＤ（１００１，１００２，１００３，…）を抽出する。そして、抽出した画像ＩＤ（１００１，１００２，１００３，…）とグループＩＤ（Ｐ１）とを対応づけたグループＰ１の共有ページ情報を作成し、共有ページ情報ＤＢ２３０内のツアーコードＴＣ１００のフォルダ内に格納する。グループＰ１の共有ページ情報は、ツアーコードＴＣ１００のツアー参加者のうちのグループＰ１のメンバーでの共有を認める画像ＩＤの一覧を示すものである。
【００１６】
同様に、サーバ２１０は、他のグループ（Ｐ２，…）についての共有ページ情報を作成する。また、他の属性情報（出発日、個人）についても同様に、出発日ごとの共有ページ情報、個人ごとの共有ページ情報を作成する。さらに、他のツアーコード（ＴＣ２００，ＴＣ３００，…）についても同様に共有ページ情報を作成する。以上のようにして作成された共有ページ情報の例を図６に示す。
【００１７】
［プリントサービスサイトへのアクセス］
次に、ネットプリントサービスサイトによりツアー参加者に提供されるサービスの流れについて説明する。
【００１８】
旅行後にツアー参加者はパソコン（ＰＣ）２０によりネットプリントサービスサイトにアクセスする。すると、プリントクーポン１０のクーポン番号を入力する画面がＰＣ２０のディスプレイに表示される。ツアー参加者がクーポン番号を入力するとサーバ２１０は対応表１２０を検索し、そのクーポン番号と同じ番号に対応づけられている各種情報（ツアーコード、出発日、グループＩＤ、個人ＩＤ）を抽出する。ここでは、図７に示すように、ツアーコード（ＴＣ１００）、出発日（１月１日）、グループＩＤ（Ｐ１）、個人ＩＤ（Ｘ）の各種情報が抽出されたものとする。
【００１９】
次にサーバ２１０は、抽出した各種情報に対応する共有ページ情報を共有ページ情報ＤＢ２３０の中から抽出する。ここでは、図７に示すように、ツアーコード（ＴＣ１００）の共有ページ情報、出発日（１月１日）の共有ページ情報、グループ（Ｐ１）の共有ページ情報、個人（Ｘ）の共有ページ情報がツアーコードＴＣ１００のフォルダから抽出されたものとする。
【００２０】
次にサーバ２１０は、共有ページへのハイパーリンクとその共有ページで共有が認められている画像のサムネイルとが表示された画面をツアー参加者のＰＣ２０のディスプレイに表示させる。ここでは図８に示すように、ツアーコード（ＴＣ１００）の共有ページへのハイパーリンク８０１とその共有ページで共有が認められている画像のサムネイル、出発日（１月１日）の共有ページへのハイパーリンク８０２とその共有ページで共有が認められている画像のサムネイル、グループ（Ｐ１）の共有ページへのハイパーリンク８０３とその共有ページで共有が認められている画像のサムネイル、個人（Ｘ）の共有ページへのハイパーリンク８０４とその共有ページで共有が認められている画像のサムネイル、がツアー参加者のＰＣ２０のディスプレイに表示される。表示された画像のサムネイルをクリックするとその拡大画像が表示される。またハイパーリンク８０１〜８０４をクリックすると各共有ページが詳細に画面表示される。各共有ページには、共有が認められている画像が表示されるだけでなく、旅行ツアーの情報・各種関連商品が紹介、提供される。
【００２１】
［画像データのアップロード］
ネットプリントサービスサイトにおいて、ツアー参加者は、各共有ページの画像を閲覧できるだけでなく、自身の撮影画像を各共有ページにアップロードすることもできる。この場合、ツアー参加者は、図８に示すようにＰＣ２０の画面の下部に表示されているアップロードボタン８１０をクリックする。すると、アップロードする画像を選択する画面が表示され、これに従って画像を選択する。次に、図９に示すように、選択した各画像について共有レベルを設定する画面が表示される。ここでは、ツアー、出発日、グループ、個人のそれぞれについて共有を認めるか否かを設定する。それぞれについて共有を認める場合はチェックボックスにチェックを入れる。画像の選択および共有レベルの設定が終了するとアップロードボタン９１０をクリックする。これにより、アップロードする画像データおよび設定した共有レベル情報がインターネットを介してプリントサービスサイトのサーバ２１０に送信される。
【００２２】
次にサーバ２１０は、図９に示すように、受信した各画像データに識別情報（画像ＩＤ）と属性情報（ツアーコード、出発日、グループＩＤ、個人ＩＤ）を設定する。属性情報には、対応表１２０において先に入力されたクーポン番号に対応づけられている各種情報を設定する。また、受信した共有レベル情報に従って各属性情報に対する共有フラグを設定する。そしてこれらの画像データ、属性情報、共有フラグを画像ＤＢ２２０内の対応フォルダに格納する。さらに、図１０に示すように、共有ページ情報ＤＢ２３０において、共有フラグに「１」が設定された属性情報に対応する共有ページ情報に画像ＩＤを追加登録する。
【００２３】
［写真プリント注文］
さらに、ネットプリントサービスサイトにおいて、ツアー参加者は、各共有ページにアップロードされている画像の写真プリント注文ができる。パソコン画面の下部に表示されているプリント注文ボタン８２０（図８参照）をクリックすると、プリント画像の選択、プリントサイズ、プリント枚数、受け取り方法等の入力画面が表示される。入力された注文情報は、ネットプリントサービスサイトのサーバ２１０に送信され、注文情報データベース２４０に格納されるとともに、プリント専門店のサーバ３１０に送信される。プリント専門店では、この注文情報に応じて写真処理装置３２０でプリント処理が行われる。できあがった写真プリントは最寄りのプリント専門店やコンビニで受け取ったり、宅配便やメール便により自宅で受け取ることができる。
【００２４】
［効果］
以上説明したように、本実施形態によるプリントシステムでは、旅行ツアーの参加者に写真共有ページが提供され、かつ、個々の参加者に発行されるプリントクーポンのクーポン番号からワンクッションでその共有ページに導かれるため、わざわざ旅行後に画像を交換し合ったり、別の画像共有サイトを探しそれらを当人間で連絡したりする必要がない。また、共有メンバー全員が画像をアップロードでき、その中から所望の画像を写真プリント注文できるようになっている。このように、写真の共有および参加者同士の画像からのプリント注文の利便性が良く操作しやすい形となっている。
【００２５】
また、旅行ツアーと結びついているので、旅行先に結びついた情報や商品を入手／提供できるとともに、そのツアーごとにデータ整理がメンバー間で容易にできる。
【００２６】
また、共有可能なメンバーをツアー別、出発日別、申し込みグループ別、個人別等のように階層的に設定できる。同じ訪問地でも出発日やグループが異なる参加者はそれぞれ違うポイントを撮影していると考えられ、本システムによればそれらの画像を入手できる（見知らぬ人だが同じ旅をしたという連帯感・安心感を期待）。
【産業上の利用可能性】
【００２７】
本発明は、ツアー旅行だけでなく、グループで参加するイベントであってそのイベントにおいて各参加者が多くの写真を撮影するようなイベント（たとえば結婚式など）に適用可能である。
【図面の簡単な説明】
【００２８】
【図１】本発明の実施形態によるプリントシステムの全体構成を示す図である。
【図２】クーポン番号と各種情報とを対応づけた対応表の例を示す図である。
【図３】画像データベースへの画像データの格納例を示す図である。
【図４】共有ページ情報の作成例を示す図である。
【図５】共有ページ情報の作成例を示す図である。
【図６】作成された共有ページ情報の一例を示す図である。
【図７】入力されたクーポン番号から共有ページ情報を抽出する例を示す図である。
【図８】共有ページの画面表示例を示す図である。
【図９】画像データのアップロード手順を説明するための図である。
【図１０】画像データのアップロード手順を説明するための図である。
【符号の説明】
【００２９】
１０  プリントクーポン
２０  パーソナルコンピュータ
１１０，２１０，３１０  サーバ
１２０  対応表
２２０  画像データベース
２３０  共有ページ情報データベース
２４０  注文情報データベース
３２０  写真処理装置
【図１】
2008191933.tif 000003
【図２】
2008191933.tif 000004
【図３】
2008191933.tif 000005
【図４】
2008191933.tif 000006
【図５】
2008191933.tif 000007
【図６】
2008191933.tif 000008
【図７】
2008191933.tif 000009
【図８】
2008191933.tif 000010
【図９】
2008191933.tif 000011
【図１０】
2008191933.tif 000012